(57)【特許請求の範囲】
【請求項１】
内容液の収容空間を有する減容変形自在な内層体と、口部周壁を貫通する通気口を有し該内層体との相互間に該通気口に通じる内部空間を形成する外層体と、該内層体の上部開口を覆う隔壁を有し、該隔壁に、該内層体に通じる液流入口、及び該通気口に通じる空気流入口を設けた中栓と、該液流入口からの内容液及び該空気流入口からの空気を通過させて内容液を発泡させる発泡体と、発泡した内容液を注出する注出口を有し、該中栓及び該発泡体を内側に収めるとともに該通気口を取り囲んで該口部周壁に保持される注出キャップとを備える二重容器であって、
前記中栓と前記注出キャップとの相互間に、前記液流入口と前記空気流入口との間を区画するとともに前記発泡体を取り囲んで保持する筒体と、該筒体の内面に連結して該液流入口を閉鎖する一方、前記収容空間が加圧されることで該液流入口を開放する液用弁体と、該筒体の外面に連結して該空気流入口を閉鎖する一方、前記内部空間が加圧されることで該空気流入口を開放する空気用弁体と、該筒体を貫通して該発泡体の側面に向けて開口し該空気流入口からの空気を通す空気流出口とを備える逆止弁を設けた二重容器。
【請求項２】
前記液用弁体は、前記発泡体に設けた貫通孔を挿通して前記注出口に向けて延在する柱部を有し、
該注出口を覆って前記注出キャップに装着される蓋体を設け、該蓋体は、該柱部に当接して該液用弁体の移動を阻止するストッパーを有する請求項１に記載の二重容器。
【請求項３】
前記外層体は、前記内部空間が常圧の際には閉鎖する一方、該内部空間が減圧されることで開放し該内部空間に外気を取り込むスリットを有する請求項１又は２に記載の二重容器。
【請求項４】
前記注出キャップは、前記通気口に通じる外気導入孔と、前記外層体が正立姿勢である際には該外気導入孔を開放する一方、該外層体が傾倒姿勢である際には該外気導入孔を閉鎖する移動弁とを有する請求項１又は２に記載の二重容器。
【発明の詳細な説明】
【技術分野】
【０００１】
本発明は、内容液を収容する減容変形自在な内層体と、内層体を内側に収めて容器の外殻を形成する外層体とを備え、内容液の注出に伴って内層体のみが減容する二重容器に関するものであり、特に、内容液を泡状にして注出することができる技術に関する。
【背景技術】
【０００２】
化粧水などの化粧料や、シャンプーやリンス或いは液体石鹸、また食品調味料や薬品などを収納する容器としては、内容液を収容する減容変形自在な内層体と、内層体を内側に収めて容器の外殻を形成する外層体とを備え、外層体の胴部を押圧することで内容液を注出する一方、押圧解除後は胴部が復元し、内層体と外層体との間に形成される内部空間に外気を導入して内層体を減容できるようにした二重容器（デラミ容器、積層剥離容器とも言う）が知られている。例えば特許文献１には、このような二重容器にフォーマーキャップを装着して、内容液を泡状にして注出することができるスクイズタイプの泡注出用二重容器が示されている。
【先行技術文献】
【特許文献】
【０００３】
【特許文献１】特開２００９−１４９３２７号公報
【発明の概要】
【発明が解決しようとする課題】
【０００４】
ところで、特許文献１の容器では、気液混合室に通じる内容液の通路と空気の通路が常時開放されているため、メッシュ部材や注出ノズルに残った内容液がこれらの通路に逆流するおそれがある。ここで内容液の泡質は、混合される内容液と空気の割合が大きく影響しているところ、残った内容液が逆流すると、次回の注出の際に内容液と空気との混合比が変わってしまい、泡質の悪化につながることになる。このため、残った内容液の逆流を防止するべく、内容液及び空気の通路に逆止弁を設けることが検討されているが、構造の複雑化が免れず、検討の余地が残されていた。
【０００５】
本発明は、このような問題点を解決することを課題とするものであり、その目的は、内容液及び空気の通路を閉鎖する逆止弁を設けるにあたって、構造がより簡素化できる、新たな二重容器を提案するところにある。
【課題を解決するための手段】
【０００６】
本発明は、  内容液の収容空間を有する減容変形自在な内層体と、口部周壁を貫通する通気口を有し該内層体との相互間に該通気口に通じる内部空間を形成する外層体と、該内層体の上部開口を覆う隔壁を有し、該隔壁に、該内層体に通じる液流入口、及び該通気口に通じる空気流入口を設けた中栓と、該液流入口からの内容液及び該空気流入口からの空気を通過させて内容液を発泡させる発泡体と、発泡した内容液を注出する注出口を有し、該中栓及び該発泡体を内側に収めるとともに該通気口を取り囲んで該口部周壁に保持される注出キャップとを備える二重容器であって、
前記中栓と前記注出キャップとの相互間に、前記液流入口と前記空気流入口との間を区画するとともに前記発泡体を取り囲んで保持する筒体と、該筒体の内面に連結して該液流入口を閉鎖する一方、前記収容空間が加圧されることで該液流入口を開放する液用弁体と、該筒体の外面に連結して該空気流入口を閉鎖する一方、前記内部空間が加圧されることで該空気流入口を開放する空気用弁体と、該筒体を貫通して該発泡体の側面に向けて開口し該空気流入口からの空気を通す空気流出口とを備える逆止弁を設けた二重容器である。
【０００７】
前記液用弁体は、前記発泡体に設けた貫通孔を挿通して前記注出口に向けて延在する柱部を有し、
該注出口を覆って前記注出キャップに装着される蓋体を設け、該蓋体は、該柱部に当接して該液用弁体の移動を阻止するストッパーを有することが好ましい。
【０００８】
前記外層体は、前記内部空間が常圧の際には閉鎖する一方、該内部空間が減圧されることで開放し該内部空間に外気を取り込むスリットを有することが好ましい。
【０００９】
前記注出キャップは、前記通気口に通じる外気導入孔と、前記外層体が正立姿勢である際には該外気導入孔を開放する一方、該外層体が傾倒姿勢である際には該外気導入孔を閉鎖する移動弁とを有することが好ましい。
【発明の効果】
【００１０】
本発明では、液用弁体と空気用弁体を筒体に連結していることによって、液流入口及び空気流入口への逆流を１つの部材で防止することができるため、構造をより簡素化することが可能になる。また筒体は、発泡体を保持する機能を兼ね備えているので、構造が更に簡素化できる。
【００１１】
液用弁体は、発泡体に設けた貫通孔を挿通して注出口に向けて延在する柱部を有するものとし、更に注出口を覆って注出キャップに装着される蓋体を設け、蓋体に、柱部に当接して液用弁体の移動を阻止するストッパーを設ける場合は、蓋体を閉めることで液用弁体が液流入口を確実に閉鎖するので、例えば輸送時等の意図しない内容液の注出が、構造の複雑化を伴うことなく防止できる。
【００１２】
内部空間が減圧された際に外気を取り込む構造としては、外層体に設けたスリットや、注出キャップに設けた外気導入孔及び外気導入孔を開閉する移動弁が好適であるが、スリットを用いる場合は部品点数が削減できるうえ構造がより簡素化できるので特に好適である。
【図面の簡単な説明】
【００１３】
【図１】本発明に従う二重容器の一実施形態を示す、側面視での断面図である。
【図２】図１に示す実施形態の変形例につき、外層体に設けた外気導入用逆止弁を拡大して示す断面図である。
【図３】本発明に従う二重容器の他の実施形態を示す、側面視での断面図である。
【発明を実施するための形態】
【００１４】
以下、図面を参照して、本発明をより具体的に説明する。なお、本明細書、特許請求の範囲、及び要約書において、「上」とは、二重容器を水平面上に載置した姿勢（正立姿勢）において、外層体の底部に対して注出キャップが位置する側であり、「下」とは、その反対側である。
【００１５】
図１において、符号１Ａは、本発明に従う二重容器の第一実施形態を示す。本実施形態の二重容器１Ａは、内層体２、外層体３Ａ、中栓４Ａ、逆止弁５、発泡体６、注出キャップ７Ａ、及び蓋体８で構成されている。
【００１６】
内層体２は、その内側に内容液を収容する収容空間Ｓと、この収容空間Ｓにつながる上部開口２ａを備えている。内層体２は薄肉の合成樹脂製であって、減容変形自在となっている。
【００１７】
外層体３Ａは、円筒状の口部周壁３ａに、復元自在な可撓性を有する胴部３ｂ、及び胴部３ｂの下端を閉鎖する底部（不図示）を連結したものである。口部周壁３ａの外周面には雄ねじ部３ｃを設けている。また、口部周壁３ａには、内層体２との相互間に空気を取り込むための貫通孔（通気口）３ｄを設けていて、更に、通気口３ｄを設けた外周面には、上下方向に雄ねじ部３ｃを切り欠く溝部３ｅを設けている。
【００１８】
また胴部３ｂには、上下方向に延びるスリット３ｆを設けている。スリット３ｆは、内層体２と外層体３Ａとの相互間に形成される空間（内部空間Ｎ）が常圧（大気圧）である際は、スリット３ｆの端面同士が当接していて閉鎖されているが、内部空間Ｎが減圧状態になると、端面同士が僅かに離隔して、内部空間Ｎに外気を取り込むことができる。すなわちスリット３ｆは、外気導入用逆止弁として機能する。本実施形態では、上下方向に延在して内層体２と外層体３Ａとを部分的に接合する接着帯３ｇを設け（１本でも複数本でもよい）、スリット３ｆをこの接着帯３ｇに近接させて設けているので、スリット３ｆ周辺の胴部３ｂは変形しにくくなっている。これにより、スリット３ｆの端面同士が離隔したままになる不具合が有効に防止できる。なお、本実施形態では接着帯３ｇを挟んで２つのスリット３ｆを設けているが、任意の数で設けることができる。
【００１９】
また、スリット３ｆに替えて、図２に示すように、内層体２に向けて先細りとなる中空状であってその先端にスリット３ｉを有する外気導入用逆止弁３ｈを、外層体３Ａに保持させてもよい。
【００２０】
本実施形態において内層体２と外層体３Ａは、相互に相溶性が低い合成樹脂を剥離可能に積層させたものである。このような内層体２と外層体３Ａは、内層体２の合成樹脂素材と外層体３Ａの合成樹脂素材とが積層されたパリソンを、ブロー成形することによって得ることができるが、他にも、内層体２の合成樹脂素材と外層体３Ａの合成樹脂素材とを積層させた試験管状のプリフォームを準備し、このプリフォームを２軸延伸ブロー成形して形成することや、外層体及び内層体を個別に形成し、その後、内層体を外層体内に装着したものでもよい。
【００２１】
中栓４Ａは、内層体２の上部開口２ａを覆う板状の隔壁４ａを備えている。隔壁４ａには、その中央部において隔壁４ａを貫通する液流入口４ｂが設けられている。また隔壁４ａには、液流入口４ｂを取り囲むとともに上方に向けて開放する環状凹部４ｃが設けられている。また隔壁４ａの下面には、口部周壁３ａの内面との間で内層体２を挟む円筒状のシール壁４ｄが設けられている。また隔壁４ａの縁部には、上方へ向けて延在する縁壁４ｅが設けられていて、隔壁４ａと縁壁４ｅの連結部には段部４ｆが設けられている。更に段部４ｆには、径方向に段部４ｆを貫く空気流入口４ｇが設けられている。
【００２２】
逆止弁５は、円筒状となる筒体５ａと、筒体５ａの内面に弾性片５ｂを介して連結する円板状の液用弁体５ｃと、筒体５ａの外面に連結する薄板円板状の空気用弁体５ｄと、空気用弁体５ｄの上方において筒体５ａを径方向に貫通する孔（空気流出口）５ｅとを備えている。また、液用弁体５ｃの上部には、円柱状の柱部５ｆが設けられている。
【００２３】
逆止弁５は、筒体５ａの下部を環状凹部４ｃに挿入することで隔壁４ａに対して位置決め保持される。この状態において、液用弁体５ｃは隔壁４ａの上面に着座して、収容空間Ｓに通じる液流入口４ｂを閉鎖し、空気用弁体５ｄの外周端は、段部４ｆの上面に着座して、内部空間Ｎに通じる空気流入口４ｇを閉鎖する。
【００２４】
発泡体６は、例えばスポンジやフェルト、焼結体のような、内側に多数の間隙を有する多孔質体である。発泡体６は、本実施形態では円筒状であって、その外周面が筒体５ａの内面に嵌合保持されている。また中央部に設けられた貫通孔６ａには、柱部５ｆが移動可能に挿通している。
【００２５】
注出キャップ７Ａは、円筒状の外周壁７ａと、外周壁７ａの上部を覆う平板状の天壁７ｂとを備えている。また、外周壁７ａの内面には、雄ねじ部３ｃに対応する雌ねじ部７ｃが設けられていて、これにより注出キャップ７Ａは、口部周壁３ａに設けた通気口３ｄを外周壁７ａで取り囲み、外周壁７ａの下部内面を口部周壁３ａの外面に気密に当接させた状態で、口部周壁３ａに保持される。なお、ねじに代えてアンダーカットで保持するようにしてもよい。また天壁７ｂの中央部には、上方に向けて縮径しながら突出する注出筒７ｄが設けられていて、注出筒７ｄの先端には、内容液を注出する注出口７ｅが設けられている。
【００２６】
注出キャップ７Ａに組み込まれた中栓４Ａ及び逆止弁５は、天壁７ｂの下面に縁壁４ｅの上面が当接し、また注出口７ｅの下面に筒体５ａが当接していることにより、上方へ位置ずれすることなく保持されている。また注出キャップ７Ａの内側には、収容空間Ｓに通じる液室Ｒ１（具体的には、筒体５ａの内側において発泡体６の底壁と隔壁４ａとの間に形成される空間）と、内部空間Ｎに通じる空気室Ｒ２（具体的には、筒体５ａの外側において外周壁７ａ、天壁７ｂ、及び隔壁４ａとの間に形成される空間）が形成される。
【００２７】
蓋体８は、中央部を外側に膨出させた形態をなし、天壁７ｂを覆い隠す頂壁８ａを備えている。頂壁８ａは、ヒンジ８ｂを介して外周壁７ａに一体に連結している。なお、蓋体８は、ヒンジ８ｂを設けずに注出キャップ７Ａと分離させて、ねじやアンダーカットで注出キャップ７Ａに取り付けるようにしてもよい。また頂壁８ａの裏面には、蓋体８を閉めた際に液用弁体５ｃに設けた柱部５ｆに当接するストッパー８ｃが設けられている。これにより、蓋体８を閉めた状態で収容空間Ｓ内が加圧されることがあっても、液流入口４ｂは液用弁体５ｃによって閉鎖したまま維持されるので、内容液の不用意な注出が防止できる。本実施形態のストッパー８ｃは、頂壁８ａの裏面から突出するリブ状のものであるが、図示の形状に限定されるものではない。例えば、柱部５ｆを延長して頂壁８ａの裏面に当接させるように構成して、頂壁８ａをストッパーとして機能させてもよい。
【００２８】
このような形態となる二重容器１Ａから内容液を注出するにあたっては、蓋体８を開いた後、外層体３Ａを正立姿勢から傾倒姿勢に姿勢変更して、胴部３ｂを押圧する。これによって、内部空間Ｎの空気を介して収容空間Ｓが加圧される結果、液用弁体５ｃは隔壁４ａの上面から離反して、液流入口４ｂが開放される。これに伴い内容液は、液流入口４ｂから液室Ｒ１に入り込み、弾性片５ｂの周囲に形成される隙間を通って発泡体６の底壁から発泡体６内に導入される。またこの際、内部空間Ｎも加圧される結果、空気用弁体５ｄが段部４ｆの上面から離反して、空気流入口４ｇが開放される。これに伴い内部空間Ｎ内の空気は、通気口３ｄ、溝部３ｅ、及び空気流入口４ｇを経て空気室Ｒ２に達し、空気流出口５ｅを通って発泡体６の側壁から発泡体６内に導入される。ここで発泡体６内における内容液の流れる向き（下方から上方）と空気の流れる向き（径方向外側から内側）は相違するため、発泡体６内で内容液と空気とがより混合しやすくなるので、泡の肌理を細かくすることができる。そして発泡した内容液は、発泡体６の天壁から注出筒７ｄを通って注出口７ｅより注出される。
【００２９】
内容液を注出した後は、外層体３Ａの胴部３ｂへの押圧を解除する。これによって収容空間Ｓ内は通常の圧力に戻るため、液用弁体５ｃが隔壁４ａの上面に着座して収容空間Ｓが閉鎖される。また外層体３Ａは、それ自身の復元力により元の形状に戻ろうとするため、内部空間Ｎは負圧状態になる。これにより、空気用弁体５ｄが段部４ｆの上面に着座して空気流入口４ｇが閉鎖される一方、スリット３ｆを通して内部空間Ｎに外気が導入される。これにより内層体２を減容変形させたまま、外層体３Ａのみを復元させることができる。なお、内部空間Ｎが常圧に戻れば、スリット３ｆからの外気の導入も停止する。
【００３０】
次に、本発明に従う二重容器の他の実施形態（二重容器１Ｂ）について、図３を参照しつつ説明する。なお、上述した実施形態と同一の機能を有する部位は、同一の符号を付して説明を省略する。
【００３１】
二重容器１Ｂは、内層体２、外層体３Ｂ、中栓４Ｂ、逆止弁５、発泡体６、注出キャップ７Ｂ、及び蓋体８で構成されている。
【００３２】
外層体３Ｂは、外層体３Ａに対し、スリット３ｆを設けていない点が相違している。
【００３３】
中栓４Ｂは、中栓４Ａに対し、段部４ｆを径方向内側に向けて延長し、段部４ｆの上面に、縁壁４ｅとの間で同心二重配置となる環状壁４ｈを設け、更に、環状壁４ｈと縁壁４ｅとの間に、空気流入口４ｇに通じる連通口４ｉを設けたものである。
【００３４】
注出キャップ７Ｂは、注出キャップ７Ａに対し、天壁７ｂに連通口４ｉに通じる開口７ｆを設け、天壁７ｂの下面に環状壁４ｈを位置決めする下部環状壁７ｇを設け、天壁７ｂの上面に、開口７ｆを取り囲む上部環状壁７ｈを設けたものである。更に本実施形態では、注出キャップ７Ｂとは別体として設けられ、上部環状壁７ｈに保持されるとともに上方に向けて縮径してその先端に外気導入孔９ａを有するホルダー９が設けられている。またホルダー９内には、本実施形態では球状になる移動弁１０が設けられている。なお、外層体３Ｂを正立姿勢にした状態において、開口７ｆと移動弁１０との間には、空気が通る隙間が設けられている。
【００３５】
このような構成になる二重容器１Ｂは、外層体３Ｂを正立姿勢から傾倒姿勢に姿勢変更することで、移動弁１０が移動して外気導入孔９ａを閉鎖するので、胴部３ｂを押圧しても、内部空間Ｎの空気は外気導入孔９ａから漏れ出すことはない。そして先に述べた二重容器１Ａと同様に、内容液及び空気は個別に発泡体６に至り、内容液は、発泡体６内で空気と混合して発泡し、注出口７ｅから注出される。
【００３６】
内容液を注出した後は、胴部３ｂへの押圧を解除して外層体３Ｂを元の正立姿勢に姿勢変更する。これにより、移動弁１０が元の位置に移動して外気導入孔９ａが開放されるため、外気導入孔９ａを通して内部空間Ｎ内に外気を取り入れることができる。
【００３７】
本発明に従う二重容器は、これらの実施形態に限定されるものではなく、特許請求の範囲に従う範囲で種々の変更が可能である。例えば、液用弁体の柱部を設けずに、円柱状の発泡体を用いてもよい。また、外層体の胴部に設けた外気導入用のスリットを、外層体の底部に設けてもよい。更に、移動弁は球状に限られず、柱状や錘状であってもよい。
【産業上の利用可能性】
【００３８】
本発明によれば、発泡体等に残った内容液の逆流を防止することができるので、泡質の変動が少ないうえ、構造がより簡素化できる新規の二重容器を提供することが可能になる。
【符号の説明】
【００３９】
１Ａ、１Ｂ：二重容器
２：内層体
２ａ：上部開口
３Ａ、３Ｂ：外層体
３ａ：口部周壁
３ｂ：胴部
３ｃ：雄ねじ部
３ｄ：通気口
３ｅ：溝部
３ｆ：スリット
３ｇ：接着帯
３ｈ：外気導入用逆止弁
３ｉ：スリット
４Ａ、４Ｂ：中栓
４ａ：隔壁
４ｂ：液流入口
４ｃ：環状凹部
４ｄ：シール壁
４ｅ：縁壁
４ｆ：段部
４ｇ：空気流入口
４ｈ：環状壁
４ｉ：連通口
５：逆止弁
５ａ：筒体
５ｂ：弾性片
５ｃ：液用弁体
５ｄ：空気用弁体
５ｅ：空気流出口
５ｆ：柱部
６：発泡体
６ａ：貫通孔
７Ａ、７Ｂ：注出キャップ
７ａ：外周壁
７ｂ：天壁
７ｃ：雌ねじ部
７ｄ：注出筒
７ｅ：注出口
７ｆ：開口
７ｇ：下部環状壁
７ｈ：上部環状壁
８：蓋体
８ａ：頂壁
８ｂ：ヒンジ
８ｃ：ストッパー
９：ホルダー
９ａ：外気導入孔
１０：移動弁
Ｎ：内部空間
Ｒ１：液室
Ｒ２：空気室
Ｓ：収容空間
【図１】
0006297442.tif 000002
【図２】
0006297442.tif 000003
【図３】
0006297442.tif 000004